(57)【要約】      （修正有）【課題】容易に保持して雑音を立てることなくプロンプすることができ、かつ撮影直前の台詞等の急な変更に迅速に対応することが可能な可搬プロンプタを提供する。【解決手段】文字情報を情報利用者に視覚的に提供するための可搬プロンプタは、前記文字情報を表示する表示面を有する表示部と、前記表示部を制御して所望の前記文字情報を前記表示面に表示させる制御部と、前記制御部に接続されて、前記表示面に表示する前記文字情報を切り替えるスイッチと、前記表示部に取り付けられた把持部であって、前記表示面を前記情報利用者に向けて保持するために使用者が把持する把持部とを有する。【選択図】図１
0003183971.tif 000002
【実用新案登録請求の範囲】
【請求項１】
文字情報を情報利用者に視覚的に提供するための可搬プロンプタであって、
前記文字情報を表示する表示面を有する表示部と、
前記表示部を制御して所望の前記文字情報を前記表示面に表示させる制御部と、
前記制御部に接続されて、前記表示面に表示する前記文字情報を切り替えるスイッチと、
前記表示部に取り付けられた把持部であって、前記表示面を前記情報利用者に向けて保持するために使用者が把持する把持部とを有する可搬プロンプタ。
【請求項２】
前記スイッチは、前記把持部を把持した使用者が前記把持部を把持した手で前記スイッチを操作可能な位置に設けられていることを特徴とする請求項１に記載の可搬プロンプタ。
【請求項３】
前記スイッチ及び前記把持部は、前記表示面の裏面側において前記表示部に取り付けられている請求項１又は請求項２に記載の可搬プロンプタ。
【請求項４】
さらに、前記文字情報を記憶する記憶部を備えることを特徴とする請求項１〜３のいずれか一項に記載の可搬プロンプタ。
【請求項５】
前記文字情報は、時系列的に配列された複数の情報であり、前記スイッチが押されるごとに、時系列的に配列された情報が順次表示されることを特徴とする請求項１〜４のいずれか一項に記載の可搬プロンプタ。
【請求項６】
前記スイッチは、前記表示面に表示された情報を時系列的に前進させるための送りボタンと、前記表示面に表示された情報を時系列的に後退させるための戻りボタンとを有することを特徴とする請求項１〜５のいずれか一項に記載の可搬プロンプタ。
【請求項７】
前記把持部は、前記表示面の裏面側において、所定方向に延在して前記表示部に取り付けられており、
前記送りボタン及び前記戻りボタンは、前記把持部の上方、かつ前記把持部と前記表示部との間において、前記所定方向に並置されていることを特徴とする請求項６に記載の可搬プロンプタ。
【請求項８】
前記スイッチは、前記表示面の裏面側において前記表示部に取り付けられた基部に設けられており、前記把持部は前記基部に取り付けられていることを特徴とする請求項１〜７のいずれか一項に記載の可搬プロンプタ。
【請求項９】
前記表示面の裏面側において前記表示部に取り付けられた副表示部をさらに有する請求項１〜８のいずれか一項に記載の可搬プロンプタ。
【請求項１０】
前記副表示部は、前記表示部に対して着脱可能である請求項１〜９のいずれか一項に記載の可搬プロンプタ。
【請求項１１】
前記使用者による前記表示部の保持を容易とするためのベルトを更に有する請求項１〜１０のいずれか一項に記載の可搬プロンプタ。
【請求項１２】
前記表示部を載置面に対して保持するスタンド、一脚、三脚のいずれかを更に有する請求項１〜１１のいずれか一項に記載の可搬プロンプタ。
【考案の詳細な説明】
【技術分野】
【０００１】
本考案は可搬プロンプタに関する。
【背景技術】
【０００２】
テレビ番組や映画等の映像作品を制作する現場においては、撮影を円滑に進めるため、出演者等に次の台詞や段取り等に関する助言を与える、いわゆるプロンプが行われている。プロンプは、撮影現場で撮影の進行を取り仕切るフロアディレクター（ＦＤ）や、アシスタントディレクター（ＡＤ）が行うのが一般的である。
【０００３】
ＦＤやＡＤがプロンプを行う場合には、台詞をマジック等で大きく書き写したスケッチブックや、台詞を印字したＡ３判等の大判の出力紙を束ねたものを用いる。ＦＤやＡＤは、撮影現場においてカメラには映らない位置に構え、スケッチブックや出力紙を１ページずつめくり、これらに記載された台詞を順次出演者に提示してプロンプを行う。
【考案の概要】
【考案が解決しようとする課題】
【０００４】
撮影中、ＦＤやＡＤは多忙である。しかしスケッチブックや出力紙の束を用いたプロンプでは、片手でスケッチブックや出力紙の束を保持し、もう片方の手でページをめくる動作を行う必要があるため、プロンプを行う間は、ＦＤやＡＤは実質的に両手をふさがれた状態となる。よって最適なタイミングでプロンプを行いながら同時に他の作業を行うことは熟練したＦＤやＡＤでなければ難しく、撮影現場によっては、プロンプ専従のＦＤやＡＤの他にもう一人のＦＤやＡＤを配置する必要が生じている。これは人件費の増加、ひいては撮影コストの増加にも繋がり問題である。
【０００５】
また、スケッチブックや出力紙を用いたプロンプでは、ページをめくるたびに紙と紙のこすれあう音が生じてしまう。よって静謐さが要求される撮影現場においては細心の注意を払いつつページをめくる必要があり、ＦＤやＡＤにとって大きな負担となっている。
【０００６】
さらに、映像作品の撮影現場においては、撮影開始の直前に、出演者の台詞や、撮影の段取りが急遽変更となることも少なくない。このような場合、変更後の台詞や変更後の段取りのＦＤやＡＤへの伝達は、Ｂ５判やＡ４判の出力紙への印字や手書きのメモで行われることが多い。
【０００７】
よってスケッチブックによりプロンプを行う場合は、ＦＤやＡＤは撮影直前に急遽、変更後の台詞をマジックで大きく書き写す必要があり、文字が乱れたり、誤字・脱字が生じてしまうという問題が生じている。また、台詞等の変更量が多い場合には、書き写しに時間がかかり、プロンプの準備が整うのを待つために撮影開始が遅れるという問題も生じている。
【０００８】
また、出力紙に印字してプロンプを行う場合も、撮影現場にはＡ３判等の大判の出力紙に印字できるプリンタが備えられていないのが一般的であるため、変更が生じた場合は結局スケッチブックに大きく書き写すことになる。よって同様に、文字の乱れ、誤字・脱字、撮影開始の遅れといった問題が生じる。ここで、大判の出力紙を印字可能なプリンタを撮影現場に持ち込むことも行われているが、このようなプリンタは非常に大型であり、持ち運びが大きな負担となっている。
【０００９】
そこで本考案は、上記の課題を解決することを目的とし、容易に保持して雑音を立てることなくプロンプすることができ、かつプロンプ開始直前の台詞等の急な変更に迅速に対応することが可能な可搬プロンプタを提供することを目的とする。
【課題を解決するための手段】
【００１０】
本考案の第１の態様に従えば、
文字情報を情報利用者に視覚的に提供するための可搬プロンプタであって、
前記文字情報を表示する表示面を有する表示部と、
前記表示部を制御して所望の前記文字情報を前記表示面に表示させる制御部と、
前記制御部に接続されて、前記表示面に表示する前記文字情報を切り替えるスイッチと、
前記表示部に取り付けられた把持部であって、前記表示面を前記情報利用者に向けて保持するために使用者が把持する把持部とを有する可搬プロンプタが提供される。
【００１１】
本考案の可搬プロンプタによれば、紙を用いずに出演者に文字情報を提示するため、使用中に雑音が生じることがない。また、本考案の可搬プロンプタによれば、使用者は把持部を把持して、スイッチを操作するのみで、容易に可搬プロンプタを保持しつつ適切なタイミングで文字情報を切り替えることができる。
【００１２】
本考案の可搬プロンプタによれば、制御部を用いて、表示面に表示する文字情報を制御することにより、出演者への情報の提示を行っている。よって、台詞等の急な変更が生じた際は、制御部により制御される文字情報を入れ替えるだけで迅速に変更に対応することができる。
【００１３】
本考案の可搬プロンプタにおいて、前記スイッチは、前記把持部を把持した使用者が前記把持部を把持した手で前記スイッチを操作可能な位置に設けられていてもよい。これにより使用者は、可搬プロンプタの保持、及び適切なタイミングでの文字情報の提示を片手で行うことが可能となり、プロンプ中の使用者の自由度がより高まる。
【００１４】
本考案の可搬プロンプタにおいて、前記スイッチ及び前記把持部は、前記表示面の裏面側において前記表示部に取り付けられていてもよい。この配置により、可搬プロンプタの保持はより容易となる。
【００１５】
本考案の可搬プロンプタは、さらに、前記文字情報を記憶する記憶部を備えてもよい。これにより、記憶部が記憶する文字情報を入れ替えて、台詞等の急な変更に迅速に対応することができる。
【００１６】
本考案の可搬プロンプタにおいて、前記文字情報は、時系列的に配列された複数の情報であってもよく、前記スイッチが押されるごとに、時系列的に配列された情報が順次表示されてもよい。
【００１７】
本考案の可搬プロンプタにおいて、前記スイッチは、前記表示面に表示された情報を時系列的に前進させるための送りボタンと、前記表示面に表示された情報を時系列的に後退させるための戻りボタンとを有してもよい。このように送りボタンと戻りボタンとを別個に設けることで、文字情報の切替がより容易となり、適切なタイミングでの文字情報の提供がより容易となる。
【００１８】
本考案の可搬プロンプタにおいて、前記把持部は、前記表示面の裏面側において所定方向に延在して前記表示部に取り付けられていてもよく、前記送りボタン及び前記戻りボタンは、前記把持部の上方、かつ前記把持部と前記表示部との間において、前記所定方向に並置されていてもよい。このような構成によれば、前記把持部を把持した使用者にとってより操作し易い位置に、送りボタン及び戻りボタンを配置することができる。
【００１９】
本考案の可搬プロンプタにおいて、前記スイッチは、前記表示面の裏面側において前記表示部に取り付けられた基部に設けられていてもよく、前記把持部は前記基部に取り付けられていてもよい。このような構成によれば、前記把持部を把持した使用者にとってより操作し易い位置に、スイッチを配置することができる。
【００２０】
本考案の可搬プロンプタにおいて、前記表示面の裏面側において前記表示部に取り付けられた副表示部をさらに有してもよく、前記副表示部は、前記表示部に対して着脱可能であってもよい。このような構成により、使用者は、表示面に表示された文字情報に関する情報を副表示部より得ることができ、適切な情報の提示がより容易となる。
【００２１】
本考案の可搬プロンプタにおいて、前記使用者による前記表示部の保持を容易とするためのベルトを更に有してもよく、前記表示部を載置面に対して保持するスタンド、一脚、三脚のいずれかを更に有してもよい。このような構成により、使用者は、より容易に可搬プロンプタを保持することが可能となる。
【考案の効果】
【００２２】
本考案によれば、容易に保持して雑音を立てることなくプロンプすることができ、かつプロンプ開始直前の台詞等の急な変更に迅速に対応することが可能な可搬プロンプタが提供される。
【図面の簡単な説明】
【００２３】
【図１】図１は、本考案の実施形態に係るプロンプタの斜視図であり、図１（ａ）は前側から、図１（ｂ）は後側から見た斜視図である。
【図２】図２は、使用者がプロンプタを保持する様子を示す説明図である。
【図３】図３は、撮影スタジオ内の様子を示す概略図である。
【図４】図４は、プロンプタにより提示される情報の一例を示す説明図である。
【図５】図５は、本考案の他の実施形態に係るプロンプタを後側から見た斜視図である。
【図６】図６（ａ）、（ｂ）は、サブディスプレイの表示の様子を示す説明図である。
【考案を実施するための形態】
【００２４】
＜第１実施形態＞
以下、図１〜図４を参照して、本考案の第１の実施形態について説明する。
【００２５】
図１（ａ）（ｂ）に示すように、プロンプタ１００は、主に表示部１０、切替部２０、記憶／制御部３０を有する。また、プロンプタ１００には、ベルト４０、スタンド５０が取り付けられている。以下の説明においては、表示部１０のディスプレイ１１側をプロンプタ１００の前側、その反対側をプロンプタ１００の後側とする。また、ディスプレイ１１に向かって左側及び右側を、プロンプタ１００の左側及び右側とし、ディスプレイ１１に向かって上側及び下側を、プロンプタ１００の上側及び下側とする。
【００２６】
表示部１０は、ディスプレイ１１と筐体１２とを有する。ディスプレイ１１は、出演者等に対して、後述する記憶／制御部３０から出力される文字情報としての台詞を表示する部分である。本実施形態では液晶ディスプレイを用いており、上下方向の寸法が約３００ｍｍ、左右方向の寸法が約４２０ｍｍである。ディスプレイ１１の寸法をこのような値とすることで、Ａ３判の紙と同等の面積を一度にディスプレイ１１に映し出すことが可能となる。よって、映し出す台詞の一文字一文字を十分大きくした上で、かつ十分な数の文字を同時に映し出すことが可能となり、出演者等による台詞の視認及び把握が容易となる。筐体１２はディスプレイ１１の上下端部、左右端部、及び裏面に接触してディスプレイ１１を保持している。
【００２７】
切替部２０は、ディスプレイ１１に映し出される台詞を切り替えるための機構であり、箱状の基部２１、送りボタン２２、戻りボタン２３、把持部２４を有する。基部２１は、表示部１０の筐体１２の裏面１２ｂの上方に取り付けられており、送りボタン２２、戻りボタン２３は、基部２１の上面２１ｅにおいて、左右方向に並置して設けられている。把持部２４は、基部２１の後面（背面）２１ｂに取り付けられている。
【００２８】
送りボタン２２は、ディスプレイ１１に表示された台詞データＰ（図４）を、次の台詞データＰ（図４）に送るためのボタンであり、戻りボタン２３は、ディスプレイ１１に表示された台詞データＰを、前の台詞データＰに戻すためのボタンである。本実施形態においては、送りボタン２２が左側に、戻りボタン２３が右側に設けられている。
【００２９】
送りボタン２２と戻りボタン２３とは、互いに異なる色とすることが望ましい。これにより、送りボタン２２と戻しボタン２３との押し間違いを防止することが可能となる。さらに、送りボタン２２と戻りボタン２３は、使用者や外部の物体との接触によって誤って操作されることがないよう、押圧に対してある程度の抵抗を有するボタンであることが望ましい。
【００３０】
把持部２４は、プロンプタ１００の使用時に、使用者が把持する持手である。把持部２４は、プロンプタ１００を軽量とするため、アルミニウム、合成樹脂等により形成するのが望ましい。
【００３１】
切替部２０においては、送りボタン２２、戻りボタン２３、把持部２４が上記の通り配置されているため、使用者は把持部２４を把持した状態で、親指により送りボタン２２、戻りボタン２３を容易に操作することができる。ここで、送りボタン２２が左側に、戻りボタン２３が右側に配置されているため、使用者が右手で把持部２４を把持すれば、より使用頻度の高い送りボタン２２が親指での操作により適した位置となる。なお、送りボタン２２を右側に、戻りボタン２３を左側に配置してもよく、この場合は、使用者が左手で把持部２４を把持すれば、送りボタン２２が親指での操作により適した位置となる。また、送りボタン２２及び戻りボタン２３の機能を互いに交換可能とし、右手で把持部２４を把持する場合と左手で把持部２４を把持する場合とで、送りボタン２２及び戻りボタン２３の機能を互いに交換して使用してもよい。
【００３２】
記憶／制御部３０は、内部に記憶装置３１及び制御装置３２を有する。記憶装置３１は、出演者等に対して提示する台詞を含む複数の台詞データＰ、及びこの複数の台詞データＰを提示する順番を記憶する。制御装置３２は、送りボタン２２、戻りボタン２３の入力に従って、記憶装置３１内に記憶された台詞データＰをディスプレイ１１に送る。また、記憶／制御部３０には、記憶／制御部３０への台詞データＰの入出力を行うための接続端子（不図示）が設けられている。
【００３３】
ベルト４０は、使用者によるプロンプタ１００の保持を補助するために装着されてもよく、両端部が、筐体１２の裏面１２ｂの右上部及び左上部に接続されている。使用者は、ベルト４０を首の後ろに回した状態でプロンプタ１００を保持することで、プロンプタ１００の重量の一部を肩によって担い、より容易にプロンプタ１００を保持できる（図２）。なおベルト４０は、ナス環等を用いて係脱可能に筐体１２に取り付けられているのが好ましいが、ベルト４０と筐体１２とを一体に固定してもよい。
【００３４】
スタンド５０は、プロンプタ１００を床等に載置する場合に使用することができ、ディスプレイ１１が出演者を向いた状態で保持されるように表示部１０を支持する。スタンド５０は、上端部５０ｅが切替部２０の基部２１の下面２１ｆに回転可能に取り付けられている。よって、スタンド５０の下端部５０ｆを後方に引けば、スタンド５０は筐体１２に対して回転し、ディスプレイ１１の支持が可能な状態に至る。なお、スタンド５０の上端部５０ｅの取り付け位置は任意であり、筐体１２の裏面１２ｂや、切替部２０の基部２１の左右側面２１ｃ、２１ｄ、後面２１ｂに取り付けられていてもよい。
【００３５】
次に本実施形態のプロンプタ１００の動作について、使用者Ｕ（図２）が出演者Ｘ、Ｙ（図３）に対してプロンプを行う場合を例として説明する。
【００３６】
プロンプタ１００の使用時には、図２に示すとおり、使用者Ｕはディスプレイ１１を自らの身体の前面側に向けた状態で、プロンプタ１００を保持する。図２には示されていないが、使用者Ｕは、右手で切替部２０の把持部２４を把持している。
【００３７】
図３に、映像番組収録中のスタジオの概略的な様子を示す。図３において、出演者Ｘ及び出演者Ｙは、ステージＳ上においてカメラＣに対峙している。使用者Ｕは、ディスプレイ１１を出演者Ｘ及び出演者Ｙに向けてプロンプタ１００を保持している。なお、使用者Ｕの位置は任意であり、例えば、出演者Ｘ、Ｙが向かい合った状態で会話する様子をカメラＣが出演者Ｘ、Ｙの側方から撮影する場合には、使用者Ｕは、出演者Ｙの後方に構えて、出演者Ｘにプロンプを行うことができる。このようにプロンプタ１００によるプロンプは、出演者によって都合のよい任意の位置において行うことができる。
【００３８】
ここで、プロンプタ１００の記憶装置３１は、出演者Ｘ及び出演者Ｙに提示するための、複数の台詞データＰ（図４）を記憶している。図４において記号「○」は文字であり、出演者Ｘ、Ｙの台詞を表している。また記憶装置３１は、複数の台詞データＰを表示すべき順番も記憶している。以下の説明においては、記憶装置３１は、複数の台詞データＰを、台詞データｐ、ｐ＋１、ｐ＋２、・・・ｐ＋ｎの順に表示すべきものと記憶しているとする。
【００３９】
ディスプレイ１１に台詞データｐが表示されている状態において、使用者Ｕが送りボタン２２を操作すると、制御部３２は、記憶部３１の台詞データｐ＋１をディスプレイ１１に送り、ディスプレイ１１の表示内容を台詞データｐ＋１に切り替える。更にもう一度使用者Ｕが送りボタン２２を操作すると、制御部３２は、記憶部３１の台詞データｐ＋２をディスプレイ１１に送り、ディスプレイ１１の表示内容を台詞データｐ＋２に切り替える。以降も同様に、使用者Ｕが送りボタン２２を操作すると、制御部３２は、ディスプレイ１１の表示内容を台詞データｐ＋３、ｐ＋４、・・・、ｐ＋ｎと切り替える。
【００４０】
一方で、ディスプレイ１１に台詞データｐ＋ｎが表示されている状態において、使用者Ｕが戻りボタン２３を操作すると、制御部３２は、記憶部３１の台詞データｐ＋ｎ−１をディスプレイ１１に送り、ディスプレイ１１の表示内容を台詞データｐ＋ｎ−１に切り替える。更にもう一度使用者Ｕが戻りボタン２３を操作すると、制御部３２は、記憶部３１の台詞データｐ＋ｎ−２をディスプレイ１１に送り、ディスプレイ１１の表示内容を台詞データｐ＋ｎ−２に切り替える。以降も同様に、使用者Ｕが戻りボタン２３を操作すると、制御部３２は、ディスプレイ１１の表示内容を、台詞データｐ＋ｎ−３、ｐ＋ｎ−４、・・・、ｐと切り替える。
【００４１】
以上の動作によれば、使用者Ｕが撮影の進行に合わせて切替部２０を操作するだけで、出演者Ｘ、出演者Ｙは容易に適切な台詞を発することが可能となる。  
【００４２】
本実施形態に係るプロンプタ１００の効果を以下にまとめる。
【００４３】
本実施形態のプロンプタ１００は、ディスプレイ１１が液晶により形成されている。したがって、撮影現場の照明が抑制されており、十分な照度が得られない場合であっても、視認性の高い状態で、台詞を出演者Ｘ、Ｙに提示することができる。
【００４４】
本実施形態のプロンプタ１００によれば、紙を扱うことなく、切替部２０の送りボタン２２及び戻りボタン２３を操作するだけで、出演者Ｘ、Ｙに提示する台詞データＰを切り替えることができる。従って、本実施形態のプロンプタ１００によれば、使用者Ｕは、静謐さが要求されるスタジオにおいても、ページめくりによる雑音の発生に注意を払う必要がなくなる。
【００４５】
本実施形態のプロンプタ１００は、使用者Ｕが把持部２４を把持した際に、把持した手によって操作し易い位置に送りボタン２２、戻りボタン２３が設けられている。従って使用者Ｕは、プロンプタ１００の保持及び操作を片手で行うことが可能であり、空いたもう片方の手を自由に使用することができる。撮影現場においては、様々な出来事に臨機応変に対応することが要求されるため、プロンプタ１００をこのように片手で操作できることは特に有利である。
【００４６】
本実施形態のプロンプタ１００は、不図示の接続端子を介して、記憶／制御部３０への台詞データＰの入出力を自在に行うことができる。したがって、撮影現場における台詞の突然の変更にも臨機応変に対応することが可能である。
【００４７】
次に、本実施形態のプロンプタ１００を製造する際は、必要な部品を準備して適宜組み付けるのみでよい。ディスプレイ１１としては、液晶ディスプレイに代えて、有機ＥＬディスプレイやプラズマディスプレイを用いることも可能である。
【００４８】
＜第２実施形態＞
以下、図５〜図６を参照して、本考案の第２の実施形態について説明する。
【００４９】
第２の実施形態のプロンプタ２００は、使用者に対する情報を表示する副表示部６０を備える点において、第１の実施形態のプロンプタ１００と異なっている。その他の点は第１の実施形態のプロンプタ１００と同様である。よって第１の実施形態のプロンプタ１００と同じ構成要素には同じ符号を付し、説明を省略する。
【００５０】
副表示部６０は、サブディスプレイ６１と筐体６２とを有する。図５に示すように、副表示部６０は、サブディスプレイ６１が右上方を向くように、筐体６２の一辺を表示部１０の筐体１２の裏面１２ｂに固定して取り付けられている。サブディスプレイ６１は、使用者に対する情報を映し出す画面である。本実施形態では液晶ディスプレイを用いており、上下方向の寸法が約２１０ｍｍ、前後方向の寸法が約１５０ｍｍである。
【００５１】
次に本実施形態のプロンプタ２００の動作について、使用者Ｕが出演者Ｘ、Ｙに対してプロンプを行う場合を例として説明する。
【００５２】
プロンプタ２００の使用時には、第１実施形態のプロンプタ１００と同様に、使用者Ｕは、ディスプレイ１１を前方に向けた状態で、プロンプタ２００を保持する。これにより使用者Ｕは、副表示部６０を、自らが視認しやすい位置として、プロンプタ２００を保持することができる。
【００５３】
ここで、プロンプタ２００の使用時には、副表示部６０のサブディスプレイ６１には、表示部１０のディスプレイ１１に表示される台詞データＰの前後に表示すべきの台詞データＰが表示される。すなわち、サブディスプレイ６１に台詞データｐ及び台詞データｐ＋２が示されている時（図６（ａ））、ディスプレイ１１には、台詞データｐ＋１が表示されている。この状態において使用者Ｕが送りボタン２２を操作すると、制御部３２は、記憶部３１の台詞データｐ＋２をディスプレイ１１に送り、ディスプレイ１１には台詞データｐ＋２が表示される。同時に、制御部３２は記憶部３１の台詞データｐ＋１及び台詞データｐ＋３をサブディスプレイ６１におくり、サブディスプレイ６１には、台詞データｐ＋１及び台詞データｐ＋３が表示される。使用者Ｕが戻りボタン２３を操作した場合も同様である。よってサブディスプレイ６１には、ディスプレイ１１に表示される台詞データＰの変化に連動して、常にディスプレイ１１に表示される台詞データＰの前後に表示すべき台詞データＰが表示される。
【００５４】
なお、サブディスプレイ６１に同時に表示される台詞データＰの数は任意であり、例えば、ディスプレイ１１に表示中の台詞データＰの前後各４つの台詞データＰ、前後各９つの台詞データＰが表示されるようにしてもよい。また、サブディスプレイ６１に表示される台詞データＰの数を自在に変更可能としてもよい。
【００５５】
本実施形態に係るプロンプタ２００の効果を以下にまとめる。
【００５６】
本実施形態のプロンプタ２００によれば、使用者Ｕは、出演者Ｘ、Ｙに次に提示するべき台詞データＰの内容、及び先ほどまで提示していた台詞データＰの内容を、サブディスプレイ６１を用いて常に確認することができる。したがって、撮影の進行に応じた適切な台詞の提示を行うことが、より容易となる。
【００５７】
次に、本実施形態のプロンプタ２００を製造する際は、必要な部品を準備して適宜組み付けるのみでよい。サブディスプレイ６１としては、液晶ディスプレイに代えて、有機ＥＬディスプレイやプラズマディスプレイを用いることも可能である。
【００５８】
＜変形例＞
第２実施形態のプロンプタ２００の変形例として、副表示部６０のサブディスプレイ６１には、表示部１０のディスプレイ１１に表示されている台詞データＰを含む複数の台詞データＰが表示されるようにしてもよい。図６（ｂ）において、サブディスプレイ６１には、台詞データｐ〜ｐ＋７が表示されており、台詞データｐ＋３の周囲にはフレームＦが表示されている。このフレームＦは、フレームＦにより囲まれている台詞データｐ＋３が、現在ディスプレイ１１に表示されている台詞データＰであることを示している。
【００５９】
ここで、ディスプレイ１１の表示が、台詞データｐ＋３から台詞データｐ＋４に切り替えられたときは、サブディスプレイ６１においては、フレームＦの位置は変えずに、台詞データｐ〜ｐ＋７の表示位置が１つずつ繰り上げられる。すなわち、図６（ｂ）おいて台詞データｐが表示されている位置に台詞データｐ＋１が表示され、台詞データｐ＋１が表示されている位置に台詞データｐ＋２が表示され、台詞データｐ＋７が表示されている位置には台詞データｐ＋８が表示される。フレームＦの位置には、台詞データｐ＋４が表示される。
【００６０】
または、サブディスプレイ６１においては、ディスプレイ１１の表示が台詞データｐ＋３から台詞データｐ＋４に切り替えられたときに、台詞データｐ〜ｐ＋７の表示位置を変えずに、フレームＦの表示位置を変えてもよい。
【００６１】
なお、サブディスプレイ６１に同時に表示される台詞データＰの数は任意であり、例えば、ディスプレイ１１に表示中の台詞データＰを含む１６個の台詞データＰ、又は３２個の台詞データＰが表示されるようにしてもよい。また、サブディスプレイ６１に表示される台詞データＰの数を自在に変更可能としてもよい。
【００６２】
このように、ディスプレイ１１に表示中の台詞データＰもサブディスプレイ６１に表示することで、使用者Ｕは、ディスプレイ１１を覗き込むことなく、ディスプレイ１１の現在の表示内容を確認することができる。
【００６３】
なお、上記の第２実施形態において、副表示部６０は、表示部１０との位置関係が調整可能なように筐体１２に取り付けられていてもよい。例えば、筐体１２の裏面１２ｂから後方に延在し、上方に屈曲して更に延在するＬ字型のアームを設け、該アームの上端部を球形として、副表示部６０の筐体６２の裏面とをボールジョイント機構により接続してもよい。また、このボールジョイント機構を係脱可能とすれば、副表示部６０は、表示部１０に対して係脱可能となる。
【００６４】
なお、上記の第２実施形態において、サブディスプレイ６１をタッチパネルとして、サブディスプレイ６１に表示された台詞データＰのいずれかに触れるだけで、ディスプレイ１１に当該台詞データＰを表示することができるようにしてもよい。これにより、出演者に対して、予定の順番とは異なる台詞データを急遽提示する必要が生じた場合にも、臨機応変な対応が可能となる。また、タッチパネルに指で文字を書き、これをディスプレイ１１に表示することが可能な構成してもよい。このような構成とすれば、記憶装置３１に記憶された台詞データＰ以外の情報を、必要に応じて臨機応変に出演者に提示することが可能となる。
【００６５】
なお、ディスプレイ１１、サブディスプレイ６１の画面寸法は上記の実施形態におけるよりも大きくてもよい。ここで、限定はされないが、使用者がプロンプタ１００、２００を片手で保持することが可能な重量に収まる程度とすることが好ましい。また、ディスプレイ１１、サブディスプレイ６１の画面寸法は上記の実施形態におけるよりも小さくてもよい。また、ディスプレイ１１やサブディスプレイ６１の手前に、ディスプレイ１１やサブディスプレイ６１と所定の間隔を隔ててフレネルレンズ等の板レンズを設け、出演者や使用者が、フレネルレンズ等を介してディスプレイ１１やサブディスプレイ６１の拡大像を視認する構造としてもよい。
【００６６】
なお、上記の実施形態においては、切替部２０は、基部２１の上面２１ｅに送りボタン２２、戻りボタン２３を有しているが、送りボタン２２、戻りボタン２３は、基部２１の左側面２１ｃ、右側面２１ｄ、後面２１ｂ、または下面２１ｆに設けられていてもよく、把持部２４を把持した使用者が、把持部２４を把持した手で操作できる任意の位置とすることができる。例えば、送りボタン２２、戻りボタン２３を、基部２１の下面２１ｆに設け、把持部２４を把持した使用者が、人差し指と小指を用いて送りボタン２２、戻りボタン２３を操作する構成としてもよい。または、送りボタン２２、戻りボタン２３を、基部２１の後面２１ｂに設け、把持部２４を把持した使用者が、親指を用いて送りボタン２２、戻りボタン２３を操作する構成としてもよい。また把持部２４は、水平方向に延在するものに限られず、鉛直方向に延在する把持部であってもよい。なお、送りボタン２２、戻りボタン２３の位置は、その他の位置であってもよい。例えば、表示部１０の筐体１２の右下部の側面又は裏面に送りボタン２２、戻りボタン２３を設け、右手で把持部２４を把持した使用者が、左手で送りボタン２２、戻りボタン２３を操作する構成とすることもできる。  
【００６７】
なお、上記の実施形態においては、切替部２０は、送りボタン２２及び戻りボタン２３の両方を有しているが、戻りボタン２３を省略してもよい。この時は例えば、送りボタン２２を２連続で押すことにより、台詞データＰを１つ前の台詞データＰに戻すことが可能な構成としてもよい。または、送りボタン２２及び戻りボタン２３を省略してレバースイッチを与え、例えばレバースイッチを左側に倒すことで台詞データＰを送る機能が、レバースイッチを右側に倒すことで台詞データＰを戻す機能が行われるように構成してもよい。または、ダイヤル式のスイッチを基部２１の上面２１ｅに設けて、例えばこのダイヤル式スイッチを上方からみて反時計方向に回すことで台詞データＰを送る機能が、時計方向に回すことで台詞データＰを戻す機能が行われるように構成してもよい。
【００６８】
なお、上記の実施形態において、切替部２０の送りボタン２２を２段式ボタンとして、例えば送りボタン２２を１段階押せばディスプレイ１１に表示された台詞データｐの上半分のみが次に表示すべき台詞データｐ＋１の上半分に切り替わり、送りボタン２２をさらにもう１段階押せば、ディスプレイ１１に表示された台詞データｐの下半分が、次に表示すべき台詞データｐ＋１の下半分に切り替わるように構成してもよい。このように構成すれば、出演者が台詞データｐの上半分を読み終わった時点で送りボタン２２を１段階押し、台詞データｐの上半分に変えて台詞データｐ＋１の上半分を表示することができる。これにより出演者は、台詞データｐの下半分を読みながら、次に読むべき台詞データｐ＋１の上半分を、目視して確認することができる。そして使用者は、出演者が台詞データｐをすべて読み終えたら、更に送りボタン２２を押し、ディスプレイ１１に台詞データｐ＋１の全体を表示させることができる。これにより出演者に対する適切な台詞データの提示が、より容易に行えるようになる。戻りボタン２３も同様に２段式ボタンとし、例えば、戻りボタン２３を１段階押せば、台詞データｐ＋１の下半分が前に表示すべき台詞データｐの下半分に切り替わり、更に１段階押せば、台詞データｐ＋１の上半分も台詞データｐの上半分に切り替わるように構成してもよい。
【００６９】
なお、上記の実施形態において、切替部２０はさらに、例えば送りボタン２２と戻りボタン２３との間に、スクロールレバーを有していてもよい。これにより使用者は、例えばスクロールレバーを左に倒せば台詞データｐから台詞データｐ＋１へとスクロールさせて切り替えることができ、右に倒せば、台詞データｐ＋１から台詞データｐへとスクロールさせて切り替えることができる。なお、送りボタン２２を傾けることでスクロール送りが、戻りボタン２３を傾けることでスクロール戻りが行われる構成としてもよい。
【００７０】
なお、上記の実施形態において、記憶／制御部３０は記憶部３１を有さない構成としてもよい。この時は例えば、台詞データＰを記憶した外部記憶装置を制御部３２に接続して、制御部３２が、外部記憶装置の台詞データＰを表示部１０、６０に送る構成としてもよい。
【００７１】
なお、上記の実施形態において、プロンプタ１００、２００は、ベルト４０やスタンド５０を有さなくてもよい。
【００７２】
なお、上記の実施形態において、プロンプタ１００、２００は、スタンド５０に変えて、またはこれに加えて、伸縮可能な一脚や三脚等を有していてもよい。これにより使用者は、より容易にプロンプタ１００、２００を保持することが可能となり、三脚を備える場合は、自力により保持する必要がなくなる。
【００７３】
なお、上記の実施形態において、複数のプロンプタ１００、２００を互いに通信可能として、一台のプロンプタ１００、２００の送りボタン２２、戻りボタン２３を操作することで、複数のプロンプタ１００、２００のディスプレイ１１の表示を切り替えることが可能としてもよい。これにより、出演者が多数である場合であっても、複数のプロンプタ１００、２００を協働させて、適切かつ視認しやすい状態でプロンプを行うことができる。
【００７４】
なお、上記の実施形態において、プロンプタ１００、２００は、送りボタン２２、戻りボタン２３を遠隔で操作するリモコンをさらに備えていてもよい。これにより使用者は、プロンプタ１００、２００から離れた位置で作業を行いながら、プロンプタ１００、２００を操作することが可能となる。
【００７５】
なお、上記の実施形態においては、プロンプの内容は台詞であるとして説明したが、プロンプの内容は段取りの提示や、撮影停止までの残り時間の提示等、出演者が必要とする情報であれば台詞以外のいかなる情報であってよい。
【００７６】
なお、上記の実施形態においては、カメラの前の出演者に対してプロンプを行うものとして説明を行ったが、プロンプを行う相手は、カメラではなく観客に対峙している舞台上の役者や司会者、講演者であってもよく、ラジオ番組等の放送や収録を行っているマイクの前の出演者であってもよい。その他、文字情報の提示による補助を必要とする者に対して、広く本考案のプロンプタを用いることができる。
【産業上の利用可能性】
【００７７】
本考案によれば、容易に保持して雑音を立てることなくプロンプすることができ、かつ撮影等の開始直前に生じる台詞や段取り等の急な変更に迅速に対応することが可能な可搬プロンプタが提供される。よって、映像作品の撮影現場等において、より効率のよい撮影を行うことが可能となるとともに、出演者に対するより適切な情報の提示が可能となり、ひいてはより低いコストでより質の高い作品を制作することが可能となる。
【符号の説明】
【００７８】
１０  表示部
１１  ディスプレイ
１２  筐体
２０  切替部
２１  基部
２２  送りボタン
２３  戻りボタン
２４  把持部
３０  記憶／制御部
３１  記憶部
３２  制御部
４０  ベルト
５０  スタンド
６０  副表示部
６１  サブディスプレイ
６２  筐体
１００、２００  プロンプタ
Ｃ  カメラ
Ｆ  フレーム
Ｐ、ｐ、ｐ＋１、ｐ＋２、・・・、ｐ＋ｎ  台詞データ
Ｓ  ステージ
Ｕ  使用者
Ｘ、Ｙ  出演者
【図１】
0003183971.tif 000003
【図２】
0003183971.tif 000004
【図３】
0003183971.tif 000005
【図４】
0003183971.tif 000006
【図５】
0003183971.tif 000007
【図６】
0003183971.tif 000008